(57)【要約】【課題】幅の異なる第１媒体及び第２媒体を搬送することができるとともに、装置本体の設置状態を変更しても、表示部に表示される表示画像を視認し易くすることができる画像読取装置、画像読取システム及び媒体搬送装置を提供する。【解決手段】画像読取装置１は、第１導入口１１と、第１排出口１２と、第２導入口２１と、第２排出口２２と、搬送路１０とが形成された装置本体３０と、読取部５５と、装置本体３０に設けられ、表示画像を表示するように構成される表示部７０と、装置本体３０の設置状態が反映される設置情報、又は装置本体３０の設置状態に関して外部から設定される設定情報を取得するように構成される取得部５４と、取得部５４が取得した設置情報又は設定情報に基づいて表示部７０を制御し、表示部７０に表示される表示画像の向きを変更するように構成される表示制御部５４とを備える。【選択図】図８
2014072649.tif 000002
【特許請求の範囲】
【請求項１】
第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記搬送路を搬送される前記第１媒体及び前記第２媒体の媒体画像を読み取るように構成される読取部と、
前記装置本体に設けられ、表示画像を表示するように構成される表示部と、
前記装置本体の設置状態が反映される設置情報、又は前記装置本体の前記設置状態に関して外部から設定される設定情報を取得するように構成される取得部と、
前記取得部が取得した前記設置情報又は前記設定情報に基づいて前記表示部を制御し、前記表示部に表示される前記表示画像の向きを変更するように構成される表示制御部とを備えていることを特徴とする画像読取装置。
【請求項２】
前記取得部は、上下方向に平行な軸線周りの前記装置本体の回転を検知する回転センサを有し、
前記取得部は、前記回転センサにより前記装置本体の回転状態である前記設置状態が反映される前記設置情報を取得するように構成されている請求項１記載の画像読取装置。
【請求項３】
前記表示制御部は、前記回転センサの検知結果に基づいて、前記装置本体が前記軸線周りに１８０°回転したと判断する場合、前記表示画像の向きを１８０°回転させる請求項２記載の画像読取装置。
【請求項４】
外部からの操作を受け付け、前記設置状態に対して前記表示画像の向きを関連付ける設定を行うための前記設定情報を生成するように構成される設定部を備え、
前記取得部は、前記設定部から前記設定情報を取得する請求項１乃至３のいずれか１項記載の画像読取装置。
【請求項５】
前記装置本体に対して開位置と閉位置との間で変位可能に設けられ、前記開位置では前記装置本体に対して展開されて前記第１媒体が前記第１導入口に導入可能に載置されるように構成され、前記閉位置では前記第１導入口をカバーするように構成される給送トレイと、
前記装置本体内に設けられ、前記第１導入口に導入される前記第１媒体及び前記第２導入口に導入される前記第２媒体を前記搬送路において搬送するように構成される搬送部と、
前記給送トレイが前記開位置にある状態では前記搬送部を制御して前記第１媒体を搬送させるように構成される一方、前記給送トレイが前記閉位置にある状態では前記搬送部を制御して前記第２媒体を搬送させるように構成される搬送制御部とを備えている請求項１乃至４のいずれか１項記載の画像読取装置。
【請求項６】
前記表示部は、前記装置本体の上面に設けられ、
前記給送トレイは、前記閉位置で前記装置本体の前記上面を覆うように構成され、
前記給送トレイには、前記閉位置で前記表示部を外部に露出させるように構成される開口が形成されている請求項５記載の画像読取装置。
【請求項７】
前記表示部は、前記表示部の任意の箇所に対する接触により入力を受け付けるタッチパネルである請求項６記載の画像読取装置。
【請求項８】
前記第１導入口は、前記第１媒体の搬送方向において、前記読取部に対して、一方側に位置し、
前記第１排出口は、前記搬送方向において、前記読取部に対して、他方側に位置し、
前記第２導入口は、前記搬送方向において、前記読取部に対して、前記一方側に位置し、
前記第２排出口は、前記搬送方向において、前記読取部に対して、前記他方側に位置している請求項１乃至７のいずれか１項記載の画像読取装置。
【請求項９】
前記第１導入口は、前記第１媒体の搬送方向において、前記読取部に対して、一方側に位置し、
前記第１排出口は、前記搬送方向において、前記読取部に対して、他方側に位置し、
前記第２導入口は、前記搬送方向において、前記読取部に対して、前記他方側に位置し、
前記第２排出口は、前記搬送方向において、前記読取部に対して、前記一方側に位置している請求項１乃至７のいずれか１項記載の画像読取装置。
【請求項１０】
前記第１導入口は、前記第１媒体の搬送方向において、前記読取部に対して、一方側に位置し、
前記第１排出口は、前記搬送方向において、前記読取部に対して、他方側に位置し、
前記第２導入口は、前記搬送方向において、前記読取部に対して、前記他方側に位置しているとともに、前記第２媒体が排出されるように構成される第２排出口を兼ねている請求項１乃至７のいずれか１項記載の画像読取装置。
【請求項１１】
互いに情報を伝達可能に接続されるように構成される画像読取装置と情報処理装置とを備える画像読取システムであって、
前記画像読取装置は、第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記搬送路を搬送される前記第１媒体及び前記第２媒体の媒体画像を読み取るように構成される読取部と、
前記装置本体に設けられ、表示画像を表示するように構成される表示部とを備え、
前記情報処理装置は、前記装置本体の前記設置状態に関して外部から設定される設定情報を取得するように構成される外部取得部を備え、
前記画像読取装置又は前記情報処理装置は、前記外部取得部が取得した前記設定情報に基づいて前記表示部を制御し、前記表示部に表示される前記表示画像の向きを変更するように構成される表示制御部を備えていることを特徴とする画像読取システム。
【請求項１２】
前記情報処理装置は、外部からの操作を受け付け、前記設置状態に対して前記表示画像の向きを関連付ける設定を行うための前記設定情報を生成するように構成される外部設定部を備え、
前記外部取得部は、前記外部設定部から前記設定情報を取得するように構成される請求項１１記載の画像読取システム。
【請求項１３】
第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記装置本体に設けられ、表示画像を表示するように構成される表示部と、
前記装置本体の設置状態が反映される設置情報、又は前記装置本体の前記設置状態に関して外部から設定される設定情報を取得するように構成される取得部と、
前記取得部が取得した前記設置情報又は前記設定情報に基づいて前記表示部を制御し、前記表示部に表示される前記表示画像の向きを変更するように構成される表示制御部とを備えていることを特徴とする媒体搬送装置。
【発明の詳細な説明】
【技術分野】
【０００１】
本発明は画像読取装置、画像読取システム及び媒体搬送装置に関する。
【背景技術】
【０００２】
特許文献１に画像読取装置の例が開示されている。この画像読取装置は、装置本体を備えている。装置本体には、第１導入口と、第１排出口と、第２導入口と、第２排出口と、搬送路とが形成されている。第１導入口には、第１媒体が導入される。第１排出口から、第１媒体が排出される。第２導入口には、第１媒体よりも幅狭の第２媒体が導入される。第２排出口から、第２媒体が排出される。
【先行技術文献】
【特許文献】
【０００３】
【特許文献１】特開２０１２−１００１１５号公報
【発明の概要】
【発明が解決しようとする課題】
【０００４】
ところで、上記画像読取装置のような構成を備える画像読取装置の中には、装置本体に、画像が表示される表示部が設けられているものがある。そのような画像読取装置において、例えば、ユーザが第１導入口への第１媒体の差し込み、第１排出口から排出される第１媒体の取り出し、第２導入口への第２媒体の差し込み、第２排出口から排出される第２媒体の取り出し等を行う場合、装置本体の設置状態は、それぞれの動作で異なることが好ましい。このため、装置本体は、ある動作を行うのに適した設置状態では、表示部に表示される表示画像の向きがユーザ側に向く一方、別の動作を行うのに適した設置状態に変更すると、表示部に表示される表示画像の向きがユーザ側からずれてしまい、ユーザが表示部に表示される表示画像を視認し難くなるという問題がある。
【０００５】
本発明は、上記従来の実情に鑑みてなされたものであって、幅の異なる第１媒体及び第２媒体を搬送することができるとともに、装置本体の設置状態を変更しても、表示部に表示される表示画像を視認し易くすることができる画像読取装置、画像読取システム及び媒体搬送装置を提供することを目的とする。
【課題を解決するための手段】
【０００６】
本発明の画像読取装置は、第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記搬送路を搬送される前記第１媒体及び前記第２媒体の媒体画像を読み取るように構成される読取部と、
前記装置本体に設けられ、表示画像を表示するように構成される表示部と、
前記装置本体の設置状態が反映される設置情報、又は前記装置本体の前記設置状態に関して外部から設定される設定情報を取得するように構成される取得部と、
前記取得部が取得した前記設置情報又は前記設定情報に基づいて前記表示部を制御し、前記表示部に表示される前記表示画像の向きを変更するように構成される表示制御部とを備えていることを特徴とする。
【０００７】
本発明の画像読取装置では、上記構成により、幅の異なる第１媒体及び第２媒体を搬送することができる。また、この画像読取装置では、例えば、第１導入口への第１媒体の差し込み、第１排出口から排出される第１媒体の取り出し、第２導入口への第２媒体の差し込み、第２排出口から排出される第２媒体の取り出し等の動作のうちのいずれか１つの動作を行い易くするために、装置本体の設置状態を変更すると、その設置状態が反映される設置情報、又はその設置状態に関して外部から設定される設定情報を取得部が取得する。そして、取得部が取得した設置情報又は設定情報に基づいて、表示制御部が表示部を制御し、表示部に表示される表示画像の向きを変更する。このため、この画像読取装置では、表示部に表示される表示画像の向きをユーザ側に向け易い。
【０００８】
したがって、本発明の画像読取装置では、幅の異なる第１媒体及び第２媒体を搬送することができるとともに、装置本体の設置状態を変更しても、表示部に表示される表示画像を視認し易くすることができる。
【０００９】
取得部は、上下方向に平行な軸線周りの装置本体の回転を検知する回転センサを有していることが望ましい。そして、取得部は、回転センサにより装置本体の回転状態である設置状態が反映される設置情報を取得するように構成されていることが望ましい。この構成によれば、回転センサの検知結果に基づいて、表示制御部が装置本体の設置状態を判断し易くなる。このため、この画像読取装置では、例えば、第１導入口と第２導入口とが装置本体の異なる側面に設けられている場合等に、ユーザが第１導入口又は第２導入口を自分に向けるように装置本体を軸線周りに回転させるのに応じて、表示制御部が表示部に表示される表示画像の向きを変更し、その表示画像を視認し易くすることができる。
【００１０】
表示制御部は、回転センサの検知結果に基づいて、装置本体が軸線周りに１８０°回転したと判断する場合、表示画像の向きを１８０°回転させることが望ましい。このような具体的構成により、装置本体を１８０°回転させた場合、表示部に表示される表示画像の向きがユーザに対して逆向きにならないように変更されるので、その表示画像を確実に視認し易くすることができる。
【００１１】
本発明の画像読取装置は、外部からの操作を受け付け、設置状態に対して表示画像の向きを関連付ける設定を行うための設定情報を生成するように構成される設定部を備えていることが望ましい。そして、取得部は、設定部から設定情報を取得することが望ましい。
【００１２】
この構成によれば、設定部により、例えば、装置本体の設置状態が第１導入口への第１媒体の差し込みに適している場合には、表示部に表示される表示画像の向きを、第１導入口に第１媒体を差し込むユーザが視認やすい方向にし、装置本体の設置状態が第２導入口への第２媒体の差し込みに適している場合には、表示部に表示される表示画像の向きを、第２導入口に第２媒体を差し込むユーザが視認やすい方向にする設定等を行うことができる。
【００１３】
本発明の画像読取装置は、装置本体に対して開位置と閉位置との間で変位可能に設けられ、開位置では装置本体に対して展開されて第１媒体が第１導入口に導入可能に載置されるように構成され、閉位置では第１導入口をカバーするように構成される給送トレイと、装置本体内に設けられ、第１導入口に導入される第１媒体及び第２導入口に導入される第２媒体を搬送路において搬送するように構成される搬送部と、給送トレイが開位置にある状態では搬送部を制御して第１媒体を搬送させるように構成される一方、給送トレイが閉位置にある状態では搬送部を制御して第２媒体を搬送させるように構成される搬送制御部とを備えていることが望ましい。
【００１４】
この場合、給送トレイは、第１媒体を搬送するために必要ではあるが、第２媒体を搬送するためには必ずしも必要ではない。この点、上記構成によれば、給送トレイが閉位置にある状態で搬送部が第２媒体を搬送できるので、給送トレイを開く手間を省くことができる。
【００１５】
表示部は、装置本体の上面に設けられていることが望ましい。給送トレイは、閉位置で装置本体の上面を覆うように構成されていることが望ましい。そして、給送トレイには、閉位置で表示部を外部に露出させるように構成される開口が形成されていることが望ましい。この構成によれば、給送トレイが閉位置にある状態でも、開口を介して、表示部を確実に視認できる。
【００１６】
表示部は、表示部の任意の箇所に対する接触により入力を受け付けるタッチパネルであることが望ましい。この構成によれば、ユーザが開口を介してタッチパネルに触れることにより、入力を行うことができる。
【００１７】
第１導入口は、第１媒体の搬送方向において、読取部に対して、一方側に位置していることが望ましい。第１排出口は、搬送方向において、読取部に対して、他方側に位置していることが望ましい。第２導入口は、搬送方向において、読取部に対して、一方側に位置していることが望ましい。第２排出口は、搬送方向において、読取部に対して、他方側に位置していることが望ましい。この場合、この画像読取装置では、第２媒体を第１媒体と同じ一方側から導入し、第１媒体と同じ他方側から排出することになる。
【００１８】
第１導入口は、第１媒体の搬送方向において、読取部に対して、一方側に位置していることが望ましい。第１排出口は、搬送方向において、読取部に対して、他方側に位置していることが望ましい。第２導入口は、搬送方向において、読取部に対して、他方側に位置していることが望ましい。第２排出口は、搬送方向において、読取部に対して、一方側に位置していることが望ましい。の場合、この画像読取装置では、第２媒体を第１媒体とは反対側である他方側から導入し、第１媒体とは反対側である一方側から排出することになる。
【００１９】
第１導入口は、第１媒体の搬送方向において、読取部に対して、一方側に位置していることが望ましい。第１排出口は、搬送方向において、読取部に対して、他方側に位置していることが望ましい。第２導入口は、搬送方向において、読取部に対して、他方側に位置しているとともに、第２媒体が排出されるように構成される第２排出口を兼ねていることが望ましい。この場合、この画像読取装置では、第２媒体を第１媒体とは反対側である他方の側面から導入し、第２媒体をスイッチバックさせ、第１媒体と同じ他方の側面から排出することになる。
【００２０】
本発明の画像読取システムは、互いに情報を伝達可能に接続されるように構成される画像読取装置と情報処理装置とを備える画像読取システムであって、
前記画像読取装置は、第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記搬送路を搬送される前記第１媒体及び前記第２媒体の媒体画像を読み取るように構成される読取部と、
前記装置本体に設けられ、表示画像を表示するように構成される表示部とを備え、
前記情報処理装置は、前記装置本体の前記設置状態に関して外部から設定される設定情報を取得するように構成される外部取得部を備え、
前記画像読取装置又は前記情報処理装置は、前記外部取得部が取得した前記設定情報に基づいて前記表示部を制御し、前記表示部に表示される前記表示画像の向きを変更するように構成される表示制御部を備えていることを特徴とする。
【００２１】
本発明の画像読取システムでは、上記構成を備える画像読取装置により、幅の異なる第１媒体及び第２媒体を搬送することができる。また、この画像読取システムでは、例えば、第１導入口への第１媒体の差し込み、第１排出口から排出される第１媒体の取り出し、第２導入口への第２媒体の差し込み、第２排出口から排出される第２媒体の取り出し等の動作のうちのいずれか１つの動作を行い易くするために、画像読取装置の装置本体の設置状態を変更すると、装置本体の設置状態に関して外部から設定される設定情報を外部取得部が取得する。そして、画像読取装置又は情報処理装置に備えられる表示制御部は、外部取得部が取得した設定情報に基づいて表示部を制御し、表示部に表示される表示画像の向きを変更する。このため、この画像読取システムでは、表示部に表示される表示画像の向きをユーザ側に向け易い。
【００２２】
したがって、本発明の画像読取システムでは、幅の異なる第１媒体及び第２媒体を搬送することができるとともに、装置本体の設置状態を変更しても、表示部に表示される表示画像を視認し易くすることができる。
【００２３】
上記の場合において、情報処理装置は、外部からの操作を受け付け、設置状態に対して表示画像の向きを関連付ける設定を行うための設定情報を生成するように構成される外部設定部を備えていることが望ましい。そして、外部取得部は、外部設定部から設定情報を取得するように構成されることが望ましい。この構成によれば、情報処理装置のアプリケーションに対して入力操作を行うことにより、画像読取装置の設定を行うことができる。
【００２４】
本発明の媒体搬送装置は、第１媒体が導入されるように構成される第１導入口と、前記第１媒体が排出されるように構成される第１排出口と、前記第１媒体よりも幅狭の第２媒体が導入されるように構成される第２導入口と、前記第２媒体が排出されるように構成される第２排出口と、前記第１導入口に導入される前記第１媒体及び前記第２導入口に導入される前記第２媒体が搬送されるように構成される搬送路と、が形成された装置本体と、
前記装置本体に設けられ、表示画像を表示するように構成される表示部と、
前記装置本体の設置状態が反映される設置情報、又は前記装置本体の前記設置状態に関して外部から設定される設定情報を取得するように構成される取得部と、
前記取得部が取得した前記設置情報又は前記設定情報に基づいて前記表示部を制御し、前記表示部に表示される前記表示画像の向きを変更するように構成される表示制御部とを備えていることを特徴とする。
【００２５】
本発明の媒体搬送装置では、上記構成により、幅の異なる第１媒体及び第２媒体を搬送することができる。また、この媒体搬送装置では、例えば、第１導入口への第１媒体の差し込み、第１排出口から排出される第１媒体の取り出し、第２導入口への第２媒体の差し込み、第２排出口から排出される第２媒体の取り出し等の動作のうちのいずれか１つの動作を行い易くするために、装置本体の設置状態を変更すると、その設置状態が反映される設置情報、又はその設置状態に関して外部から設定される設定情報を取得部が取得する。そして、取得部が取得した設置情報又は設定情報に基づいて、表示制御部が表示部を制御し、表示部に表示される表示画像の向きを変更する。このため、この媒体搬送装置では、表示部に表示される表示画像の向きをユーザ側に向け易い。
【００２６】
したがって、本発明の媒体搬送装置では、幅の異なる第１媒体及び第２媒体を搬送することができるとともに、装置本体の設置状態を変更しても、表示部に表示される表示画像を視認し易くすることができる。
【図面の簡単な説明】
【００２７】
【図１】本発明の画像読取装置及び媒体搬送装置を具体化した第１実施例の画像読取装置１の主に前方を示す斜視図である。
【図２】上記画像読取装置１の主に後方を示す斜視図である。
【図３】給送トレイ３６が開位置にある状態の上記画像読取装置１の主に前方を示す斜視図である。
【図４】上記画像読取装置１のブロック図である。
【図５】給送トレイ３６が開位置にある状態の上記画像読取装置１の上面図である。
【図６】図５のＡ−Ａ断面を示す模式断面図である。
【図７】図５のＢ−Ｂ断面であって、給送トレイ３６が閉位置にある状態を示す模式断面図である。
【図８】（ａ）は表示面７０Ａに表示される表示画像の向きの一例を示す模式図であり、（ｂ）はユーザが筐体３０を（ａ）に示す状態から１８０°回転させた場合に表示面７０Ａに表示される表示画像の向きを示す模式図であり、（ｃ）はユーザが筐体３０を（ａ）に示す状態から９０°回転させた場合に表示面７０Ａに表示される表示画像の向きを示す模式図である。
【図９】２実施例の画像読取装置に係り、（ａ）はユーザが筐体３０の前面３１Ｂ、３２Ｂ側にいる場合における表示面７０Ａに表示される表示画像の向きの一例を示す模式図であり、（ｂ）はユーザが筐体３０の後面３２Ｃ側にいる場合における表示面７０Ａに表示される表示画像の向きの一例を示す模式図である。
【図１０】第３実施例の画像読取装置に係り、タッチパネルに表示される設定画面の一例を示す図である。
【図１１】第３実施例の画像読取装置に係り、タッチパネルに表示される設定画面の一例を示す図である。
【図１２】第３実施例の画像読取装置に係り、タッチパネルに表示される設定画面の一例を示す図である。
【図１３】第４実施例の画像読取装置の主に前方を示す斜視図である。
【図１４】第４実施例の画像読取装置の主に後方を示す斜視図である。
【図１５】第５実施例の画像読取装置の主に後方を示す斜視図である。
【図１６】本発明の画像読取システムを具体化した第６実施例の画像読取システム１００のブロック図である
【発明を実施するための形態】
【００２８】
以下、本発明を具体化した第１実施例、第２実施例、第３実施例、第４実施例、第５実施例及び第６実施例を図面を参照しつつ説明する。
【００２９】
（第１実施例）
図１に示すように、第１実施例の画像読取装置１は、本発明の画像読取装置及び媒体搬送装置の具体的態様の一例である。図１では、第１排出口１２側を装置の前側と規定し、第１排出口１２に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００３０】
＜構成＞
図１〜図７に示すように、画像読取装置１は、筐体３０と、給送トレイ３６と、制御基板５４と、搬送部４０と、読取部５５と、タッチパネル７０とを備えている。また、画像読取装置１は、開閉位置センサ６０と、シートセンサ６１と、カードセンサ６２と、回転センサ６３とを備えている。
【００３１】
筐体３０は、本発明の「装置本体」の一例である。制御基板５４は、本発明の「表示制御部」及び「搬送制御部」の一例である。また、制御基板５４は、本発明の「取得部」の一例である。タッチパネル７０は、本発明の「表示部」及び「設定部」の一例である。
【００３２】
図３、図６及び図７に示すように、筐体３０は、第１筐体３１と、第２筐体３２と、一対のサイドフレーム３３Ｌ、３３Ｒとが組み合わされてなる。
【００３３】
上側に位置する第１筐体３１と、下側に位置する第２筐体３２とは、上下方向の間隔を有して互いに対向している。左側のサイドフレーム３３Ｌ及び右側のサイドフレーム３３Ｒは、第１筐体３１及び第２筐体３２を左右方向の外側から挟んでいる。
【００３４】
第１筐体３１は、上面３１Ａ、前面３１Ｂ及び上側案内面３１Ｇ等を有する。上面３１Ａは、上方を向く平面である。上面３１Ａは、後方に向かって上り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、前面３１Ｂの下端縁３１ＢＡに連続し、後方に向かって略水平に延びている。そして、上側案内面３１Ｇは、第１筐体３１における前後方向の略中央において上向きに屈曲し、後方に向かって上り傾斜している。
【００３５】
第２筐体３２は、前面３２Ｂ、下側案内面３２Ｇ及び後面３２Ｃを有する。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、前面３２Ｂの上端縁３２ＢＡに連続し、後方に向かって水平に延びている。そして、下側案内面３２Ｇは、第２筐体３２における前後方向の中央において上向きに屈曲し、後方に向かって上り傾斜している。後面３２Ｃは、後方を向く平面である。後面３２Ｃは、下方に向かって垂直に延びている。
【００３６】
図５及び図７に示すように、第２筐体３２は、下側カード案内面３２Ｉ及び上側カード案内面３２Ｈを有している。下側カード案内面３２Ｉは、下側案内面３２Ｇの水平部分における右端部に連続し、後方に向かって水平に延びて後面３２Ｃまで達している。上側カード案内面３２Ｈは、下側カード案内面３２Ｉに対して上方に離間している。上側カード案内面３２Ｈは、下側カード案内面３２Ｉと平行に、後方に向かって水平に延びて後面３２Ｃまで達している。図７に示すように、上側カード案内面３２Ｈの上下方向の高さは、上側案内面３１Ｇの水平部分の上下方向の高さとほぼ同じである。
【００３７】
後面３２Ｃ側は、本発明の「第１媒体の搬送方向において、読取部に対して一方側」の一例である。前面３１Ｂ及び前面３２Ｂは、本発明の「第１媒体の搬送方向において、読取部に対して他方側」の一例である。
【００３８】
図１〜図３及び図５〜図７に示すように、筐体３０には、第１導入口１１と、第１排出口１２と、搬送路１０とが形成されている。
【００３９】
図３、図６及び図７に示すように、第１導入口１１に、シートＳＨが導入される。シートＳＨは、例えば、用紙やＯＨＰシート等である。シートＳＨは、本発明の「第１媒体」の一例である。第１導入口１１は、第１筐体３１と第２筐体３２との間に形成されている。より詳しくは、第１導入口１１は、上側案内面３１Ｇの後端縁３１ＧＡと、下側案内面３２Ｇの後端縁３２ＧＡとの隙間である。第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００４０】
第１排出口１２から、シートＳＨが排出される。第１排出口１２は、第１筐体３１と第２筐体３２との間に形成されている。より詳しくは、第１排出口１２は、前面３１Ｂの下端縁３１ＢＡと、前面３２Ｂの上端縁３２ＢＡとの隙間である。第１排出口１２は、左側のサイドフレーム３３Ｌの近傍から右側のサイドフレーム３３Ｒの近傍まで、左右方向に延びている。第１排出口１２の左右方向の長さは、第１導入口１１と同様、シートＳＨの幅よりも長くされている。
【００４１】
図６及び図７に示すように、搬送路１０は、第１導入口１１から第１排出口１２へシートＳＨを案内する。搬送路１０は、第１筐体３１と第２筐体３２との間に形成されている。より詳しくは、搬送路１０は、上側案内面３１Ｇと下側案内面３２Ｇとに上下方向から挟まれてなる通路である。本開示において、例えば、「上側案内面３１Ｇ又は下側案内面３２Ｇに案内される」と記載した場合、必ずしもシートＳＨが上側案内面３１Ｇ又は下側案内面３２Ｇに常に当接しながら搬送することを意味しない。従って、「案内」されるとは、例えば、シートＳＨが下側案内面３２Ｇに時折当接して搬送されることも含む記載である。搬送路１０は、第１導入口１１から前方に向かって下り傾斜している。そして、搬送路１０は、筐体３０における前後方向の中央において前向きに屈曲し、第１排出口１２まで水平に延びている。
【００４２】
図５及び図７に示すように、搬送路１０における右端側に位置する領域は、カード搬送領域２０とされている。図１〜図３、図５及び図７に示すように、筐体３０には、第２導入口２１と、第２排出口２２と、カード通過路２９とが形成されている。
【００４３】
図２、図５及び図７に示すように、第２導入口２１に、シートＳＨよりも幅狭のカードＣＡが導入される。カードＣＡは、シートＳＨより小面積の枚葉である。カードＣＡは、例えば、名刺、キャッシュカード、会員証又は免許証等である。カードＣＡが名刺等の紙製枚葉であれば、その肉厚はシートＳＨと同程度の厚さである。また、カードＣＡがキャッシュカード等の樹脂製枚葉であれば、その肉厚はシートＳＨより厚く、剛性が高い。カードＣＡは、本発明の「第２媒体」の一例である。第２導入口２１は、第２筐体３２に形成されている。より詳しくは、第２導入口２１は、後面３２Ｃにおける上下方向の中間部、かつ右側のサイドフレーム３３Ｒ側において前後方向に開口している。第２導入口２１は、左右方向に延びている。第２導入口２１の左右方向の長さは、カードＣＡの幅よりも長くされている。第２導入口２１の上下方向の高さは、搬送路１０の水平部分及び第１排出口１２の上下方向の高さとほぼ同じである。
【００４４】
図１、図３、図５及び図７に示すように、第２排出口２２から、カードＣＡが排出される。第２排出口２２は、第１筐体３１と第２筐体３２との間に形成されている。より詳しくは、第２排出口２２は、前面３１Ｂの下端縁３１ＢＡにおける右端部３１ＢＢと、前面３２Ｂの上端縁３２ＢＡにおける右端部３２ＢＢとの隙間である。第２排出口２２は、右側のサイドフレーム３３Ｒの近傍から左方に向かって細長く延びている。第２排出口２２の左右方向の長さも、第２導入口２１と同様、カードＣＡの幅よりも長くされている。第２排出口２２は、第１排出口１２の右端側の一部と共用されている。
【００４５】
すなわち、図１に示すように、第１排出口１２は、第２排出口２２の下部領域２２Ａを含む。従って、シートＳＨは、第２排出口２２の下部領域２２Ａを通過して、第２排出口２２の下部領域２２Ａから排出され得る。カードＣＡは、第２排出口２２の下部領域２２Ａから排出され、又は第２排出口２２の下部領域２２Ａ及び第２排出口２２の上部領域２２Ｂから排出され得る。このように、本開示において、「第１」排出口、及び「第２」排出口との記載は、第１排出口が第２排出口を含む場合をも含む記載である。「第１」導入口、及び「第２」導入口との記載に関しても、同様に第１導入口が第２導入口を含む場合をも含む記載である。
【００４６】
図１に示すように、第２排出口２２の上下方向の開口幅Ｗ２は、カードＣＡの厚みの範囲に対応して、第１排出口１２の上下方向の開口幅Ｗ１よりも大きくされている。
【００４７】
図５及び図７に示すように、カード通過路２９は、上側カード案内面３２Ｈと、下側カード案内面３２Ｉとに上下方向から挟まれてなる通路である。カード通過路２９と、搬送路１０の右端側に位置するカード搬送領域２０とは、後方の第２導入口２１から前方の第２排出口２２まで水平に延びている。カード通過路２９とカード搬送領域２０とは、第２導入口２１から第２排出口２２へカードＣＡを案内する。
【００４８】
図３及び図５に示すように、給送トレイ３６の左右の角部には、一対のヒンジ部３６Ｌ、３６Ｒが一体に形成されている。給送トレイ３６の中央には、上方に開口する操作開口３９が形成されている。操作開口３９は、本発明の「開口」の一例である。給送トレイ３６は、両ヒンジ部３６Ｌ、３６Ｒを介して、開閉軸心Ｘ３６周りに回動可能に両サイドフレーム３３Ｌ、３３Ｒに支持されている。開閉軸心Ｘ３６は、サイドフレーム３３Ｌ、３３Ｒの後側上端部に位置して左右方向に延びている。
【００４９】
図１、図２及び図７に示すように、給送トレイ３６は、閉じた状態で第１筐体３１の上面３１Ａを上方から覆っている。図１、図２及び図７に示す給送トレイ３６の位置を「閉位置」とする。給送トレイ３６は、閉位置にある場合、開閉軸心Ｘ３６から前方に向かって下り傾斜するように位置している。図１に示すように、操作開口３９は、給送トレイ３６が閉位置にある状態においてタッチパネル７０の上側に位置することにより、タッチパネル７０を外部に露出させている。
【００５０】
そして、図３、図５及び図６に示すように、給送トレイ３６は、図１等に示す状態から開閉軸心Ｘ３６周りに後方に回動して開かれることにより、筐体３０の後ろ側で後方に向かって上り傾斜する位置に変位する。図３、図５及び図６に示す給送トレイ３６の位置を「開位置」とする。
【００５１】
図３及び図６に示すように、給送トレイ３６は、開位置では下側案内面３２Ｇの傾斜部分に連続するように傾斜し、第１導入口１１を開放している。給送トレイ３６には、１枚又は複数枚のシートＳＨが載置される。図示は省略するが、給送トレイ３６は、左右一対のガイド部を有している。ガイド部は、給送トレイ３６に載置されるシートＳＨを左右方向の外側から挟んで左右方向の位置決めを行う。給送トレイ３６に載置されたシートＳＨは、第１導入口１１に導入され、搬送路１０において第１排出口１２へ案内される。
【００５２】
図４、図６及び図７に示すように、電力が図示しない家庭用コンセントからＡＣアダプタ５９及び制御基板５４を経由して、搬送部４０、読取部５５、タッチパネル７０、開閉位置センサ６０、シートセンサ６１、カードセンサ６２、回転センサ６３等へ供給される。
【００５３】
図４に示すように、制御基板５４は、ＣＰＵ、ＲＯＭ及びＲＡＭ等を備えている。制御基板５４は、搬送部４０、読取部５５、タッチパネル７０、開閉位置センサ６０、シートセンサ６１、カードセンサ６２、回転センサ６３等に電気的に接続されて、それらを制御する。
【００５４】
図５〜図７に示すように、搬送部４０は、分離ローラ４８、分離パッド４９、搬送ローラ４２Ａ、４２Ｂ、４２Ｃ、従動ローラ４３Ａ、４３Ｂ、４３Ｃ、排出ローラ４４Ａ、４４Ｂ、４４Ｃ及び従動ローラ４５Ａ、４５Ｂ、４５Ｃを有している。読取部５５は、画像読取センサ５５Ａ、５５Ｂを有している。これらは、搬送路１０において、第１導入口１１から第１排出口１２に向かって、分離ローラ４８及び分離パッド４９、搬送ローラ４２Ａ、４２Ｂ、４２Ｃ及び従動ローラ４３Ａ、４３Ｂ、４３Ｃ、画像読取センサ５５Ａ、５５Ｂ、排出ローラ４４Ａ、４４Ｂ、４４Ｃ及び従動ローラ４５Ａ、４５Ｂ、４５Ｃという順番で配設されている。以下、この順番で、これらの構成を説明する。
【００５５】
図６に示すように、分離ローラ４８は、第２筐体３２内に回転可能に支持されている。分離ローラ４８の上部は、下側案内面３２Ｇの傾斜部分から搬送路１０に露出している。図５に示すように、分離ローラ４８は、搬送路１０における左右方向の中間に位置している。分離ローラ４８は、制御基板５４のＣＰＵが図４に示す駆動モータ４０Ｍを制御することにより駆動モータ４０Ｍに駆動される。そして、分離ローラ４８は、給送トレイ３６に載置されたシートＳＨに当接しつつ回転することにより、そのシートＳＨを搬送路１０に送り出す。
【００５６】
分離パッド４９は、第１筐体３１に組み付けられている。分離パッド４９は、上側案内面３１Ｇにおいて搬送路１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、搬送路１０において搬送されるシートＳＨを挟んで一枚ずつ分離し得る。
【００５７】
図５〜図７に示すように、搬送ローラ４２Ａ、４２Ｂ、４２Ｃは、１本の回転軸４２Ｓにより第２筐体３２内に回転可能に支持されている。搬送ローラ４２Ａ、４２Ｂ、４２Ｃの上部は、下側案内面３２Ｇの傾斜部分と水平部分との接続部から搬送路１０に露出している。搬送ローラ４２Ａ、４２Ｂ、４２Ｃは、制御基板５４のＣＰＵが駆動モータ４０Ｍを制御することにより駆動モータ４０Ｍに駆動されて、分離ローラ４８と同期回転する。従動ローラ４３Ａ、４３Ｂ、４３Ｃは、１本の回転軸４３Ｓにより第１筐体３１内に回転可能に支持されている。従動ローラ４３Ａ、４３Ｂ、４３Ｃの下部は、上側案内面３１Ｇの傾斜部分と水平部分との接続部から搬送路１０に露出している。従動ローラ４３Ａ、４３Ｂ、４３Ｃは、図示しない付勢部材に付勢されて、搬送ローラ４２Ａ、４２Ｂ、４２Ｃに押し付けられている。これにより、シートＳＨが搬送される場合には、搬送ローラ４２Ａ、４２Ｂ、４２Ｃは、搬送路１０において搬送されるシートＳＨを従動ローラ４３Ａ、４３Ｂ、４３Ｃと挟んで回転し、シートＳＨを第１排出口１２へ搬送する。
【００５８】
搬送路１０の右端側がカード搬送領域２０とされていることにより、図５及び図７に示すように、右側の搬送ローラ４２Ｃ及び右側の従動ローラ４３Ｃは、カード搬送領域２０にも露出している。これにより、カードＣＡが搬送される場合には、搬送ローラ４２Ｃは、第２導入口２１から導入され、カード通過路２９を通過したカードＣＡをカード搬送領域２０において従動ローラ４３Ｃと挟んで回転し、カードＣＡを第２排出口２２へ搬送する。
【００５９】
図５〜図７に示すように、画像読取センサ５５Ａは、第２筐体３２に組み付けられている。より具体的には、画像読取センサ５５Ａは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。画像読取センサ５５Ａの上面は、下側案内面３２Ｇの水平部分において搬送路１０に露出している。画像読取センサ５５Ｂは、第１筐体３１に組み付けられている。より具体的には、画像読取センサ５５Ｂは、ＣＩＳ、ＣＩＳホルダ及びコンタクトガラス等を備える。画像読取センサ５５Ｂの下面は、上側案内面３１Ｇの水平部分において搬送路１０に露出している。すなわち、画像読取センサ５５Ａ、５５Ｂは、カード搬送領域２０を含む搬送路１０全体を上下方向から挟むように対向している。上記構成により、画像読取センサ５５Ａ、５５Ｂは、搬送路１０において搬送されるシートＳＨの両面の画像を読み取るとともに、カード搬送領域２０において搬送されるカードＣＡの両面の画像を読み取る。すなわち、画像読取センサ５５Ａ、５５Ｂは、シートＳＨが搬送される場合には、シートＳＨの両面の画像を読み取り、カードＣＡが搬送される場合には、カードＣＡの両面の画像を読み取る。画像読取センサ５５Ａ、５５Ｂにより読み取られるシートＳＨの画像及びカードＣＡの画像は、本発明の「媒体画像」の一例である。なお、本開示において、「対向」とは必ずしも真対向を意味せず、例えば、シートＳＨの搬送方向において、画像読取センサ５５Ａの一部が画像読取センサ５５Ｂに対してずれていてもよい。
【００６０】
排出ローラ４４Ａ、４４Ｂ、４４Ｃは、１本の回転軸４４Ｓにより第２筐体３２内に回転可能に支持されている。排出ローラ４４Ａ、４４Ｂ、４４Ｃの上部は、下側案内面３２Ｇの水平部分から搬送路１０に露出している。排出ローラ４４Ａ、４４Ｂ、４４Ｃは、制御基板５４のＣＰＵが駆動モータ４０Ｍを制御することにより駆動モータ４０Ｍに駆動されて、分離ローラ４８及び搬送ローラ４２Ａ、４２Ｂ、４２Ｃと同期回転する。従動ローラ４５Ａ、４５Ｂ、４５Ｃは、１本の回転軸４５Ｓにより第１筐体３１内に回転可能に支持されている。従動ローラ４５Ａ、４５Ｂ、４５Ｃの下部は、上側案内面３１Ｇの水平部分から搬送路１０に露出している。従動ローラ４５Ａ、４５Ｂ、４５Ｃは、図示しない付勢部材に付勢されて、排出ローラ４４Ａ、４４Ｂ、４４Ｃに押し付けられている。これにより、シートＳＨが搬送される場合には、排出ローラ４４Ａ、４４Ｂ、４４Ｃは、搬送路１０において搬送されるシートＳＨを従動ローラ４５Ａ、４５Ｂ、４５Ｃと挟んで回転し、シートＳＨを第１排出口１２から筐体３０の外部に排出する。
【００６１】
搬送路１０の右端側がカード搬送領域２０とされていることにより、図５及び図７に示すように、右側の排出ローラ４４Ｃ及び右側の従動ローラ４５Ｃは、カード搬送領域２０にも露出している。これにより、カードＣＡが搬送される場合には、排出ローラ４４Ｃは、カード搬送領域２０において搬送ローラ４２Ｃ及び従動ローラ４３Ｃに搬送されるカードＣＡを従動ローラ４５Ｃと挟んで回転し、カードＣＡを第２排出口２２から筐体３０の外部に排出する。
【００６２】
図３及び図６等に示すように、タッチパネル７０は、第１筐体３１の内部における上面３１Ａ側に組み付けられている。タッチパネル７０は、液晶パネルと、液晶パネルの下面側から光を照射する蛍光ランプやＬＥＤ等の光源と、液晶パネルの上面に貼り合わされた接触感知膜とを有している。液晶パネルの上面は、タッチパネル７０の表示面７０Ａとされている。タッチパネル７０の表示面７０Ａには、文字や図形等の画像情報が表示される。また、タッチパネル７０の表示面７０Ａに、画像読取センサ５５Ａ、５５Ｂにより読み取られたシートＳＨの画像又はカードＣＡの画像が表示されてもよい。タッチパネル７０の表示面７０Ａに表示される画像が、本開示における「表示画像」の一例である。表示面７０Ａは、上面３１Ａにくり抜かれた矩形状のタッチパネル用開口３１Ｈにより外部に露出している。表示面７０Ａに貼り合わされた接触感知膜は、タッチパネル７０の表示面７０Ａの任意の箇所に対する接触を検知する。これにより、タッチパネル７０は、ユーザからの操作を受け付ける。
【００６３】
タッチパネル７０は、制御基板５４のＣＰＵに制御されて、画像読取動作の処理状況やエラー状況等である画像読取装置１の稼働状況等を表示する。また、タッチパネル７０は、図１及び図３に示す「ＳＴＡＲＴ」ボタンＢ１、Ｂ２のような各種のボタンを表示する。そして、ユーザがいずれかのボタンに対応する処理の実行指示や設定入力を行うために、タッチパネル７０に触れると、タッチパネル７０がその操作を受け付ける。そして、タッチパネル７０から、その受け付けた操作に関する信号が制御基板５４に送信される。
【００６４】
図１及び図３等に示すように、開閉位置センサ６０は、給送トレイ３６の筐体３０に対する位置を検知するものである。より詳しくは、開閉位置センサ６０は、右側のサイドフレーム３３Ｒの後側上端部に設けられて、右側のヒンジ部３６Ｒに隣接している。開閉位置センサ６０は、マイクロスイッチやロータリースイッチ等からなり、給送トレイ３６の開閉軸心Ｘ３６周りの回動によって断接する。給送トレイ３６が開位置にあるか又は閉位置にあるかに対応して、開閉位置センサ６０から、２通りの検出信号が制御基板５４に送信される。
【００６５】
本実施例では、制御基板５４のＣＰＵは、給送トレイ３６が開位置にある状態で、すなわち、給送トレイ３６が開位置にあることを開閉位置センサ６０が検知する場合に、搬送部４０を制御してシートＳＨを搬送させる。一方、制御基板５４のＣＰＵは、給送トレイ３６が閉位置にある状態で、すなわち、給送トレイ３６が閉位置にあることを開閉位置センサ６０が検知する場合に、搬送部４０を制御してカードＣＡを搬送させる。
【００６６】
図５及び図６に示すように、シートセンサ６１は、第１導入口１１におけるシートＳＨの有無を検知可能である。より詳しくは、シートセンサ６１は、第１筐体３１内に設けられている。シートセンサ６１は、上側案内面３１Ｇにおける分離パッド４９の周辺に位置している。シートセンサ６１は、物体の接近又は離間を検知する光学式近接センサや超音波式近接センサ等からなる。第１導入口１１においてシートＳＨが存在するか否かに対応して、シートセンサ６１から、２通りの検出信号が制御基板５４に送信される
【００６７】
図５及び図７に示すように、カードセンサ６２は、第２導入口２１におけるカードＣＡの有無を検知可能である。より詳しくは、カードセンサ６２は、第２筐体３２内に設けられている。カードセンサ６２は、下側カード案内面３２Ｉの後端縁側においてカード搬送領域２０に露出している。カードセンサ６２は、物体の接近又は離間を検知する光学式近接センサや超音波式近接センサ等からなる。第２導入口２１においてカードＣＡが存在するか否かに対応して、カードセンサ６２から、２通りの検出信号が制御基板５４に送信される。
【００６８】
図１及び図８（ａ）〜（ｃ）に示すように、回転センサ６３は、上下方向に平行な軸線Ｘ３０周りの筐体３０の回転を検知する。より詳しくは、回転センサ６３は、図１、図５及び図７等に示すように、第２筐体３２内において、右側のサイドフレーム３３Ｒに隣接するように設けられている。回転センサ６３は、例えば、加速度に基づいて軸線Ｘ３０周りの筐体３０の回転角度を推測する３軸加速度センサ等からなる。回転センサ６３から、軸線Ｘ３０周りの筐体３０の回転角度に対応する検出信号が制御基板５４に送信される。例えば、筐体３０が図８（ａ）に示す状態から図８（ｂ）に示す状態に回転すると、回転センサ６３から、回転角度１８０°に対応する検出信号が制御基板５４に送信される。また、筐体３０が図８（ａ）に示す状態から図８（ｃ）に示す状態に回転すると、回転センサ６３から、回転角度９０°に対応する検出信号が制御基板５４に送信される。回転センサ６３の検出信号は、筐体３０の設置状態が反映される設置情報の一例である。こうして、制御基板５４は、回転センサ６３から設置情報を取得する。
【００６９】
制御基板５４のＲＯＭ又はＲＡＭ等の記憶部には、筐体３０の設置状態に関して設定される設定情報が記憶されている。そして、制御基板５４のＣＰＵは、回転センサ６３から取得した設置情報と、ＲＯＭ又はＲＡＭ等に記憶された設定情報とに基づいてタッチパネル７０を制御し、表示面７０Ａに表示される文字や図形等の画像の向きを変更する。
【００７０】
例えば、設定情報は、筐体３０が図８（ａ）に示す状態から１８０°回転して、図８（ｂ）に示す状態になった場合、ユーザＰ１が筐体３０の後面３２Ｃ側から視認し易いように、表示面７０Ａに表示される表示画像の向きを変更するというものである。この場合、制御基板５４のＣＰＵは、筐体３０が１８０°回転したことを回転センサ６３が検知すれば、表示面７０Ａに表示される表示画像の向きを図８（ａ）に示す状態から１８０°回転させて、図８（ｂ）に示す向きとする。
【００７１】
また、設定情報は、図８（ａ）に示す状態から９０°回転して、図８（ｃ）に示す状態になった場合、ユーザＰ１が筐体３０における右側のサイドフレーム３３Ｒ側から視認し易いように、表示面７０Ａに表示される表示画像の向きを変更するというものである。この場合、制御基板５４のＣＰＵは、筐体３０が９０°回転したことを回転センサ６３が検知すれば、表示面７０Ａに表示される表示画像の向きを図８（ｃ）に示すように９０°回転させる。
【００７２】
＜シート及びカードの画像読取動作＞
この画像読取装置１では、以下のようにして、シートＳＨ及びカードＣＡの画像が読み取られる。
【００７３】
シートＳＨの画像が読み取られる場合、ユーザにより、給送トレイ３６が開位置にあれば開位置が維持され、給送トレイ３６が閉位置にあれば開位置に変位される。そして、ユーザにより、開位置にある給送トレイ３６にシートＳＨが載置される。制御基板５４は、タッチパネル７０からシートＳＨの読取指示があった場合に、シートＳＨの画像読取動作を開始する。タッチパネル７０のシート読取指示は、タッチパネル７０に表示されたシート読取「ＳＴＡＲＴ」ボタンＢ２が押されることにより生成され、制御基板５４に送られる。
【００７４】
そうすると、制御基板５４は、給送トレイ３６が開位置にあることを開閉位置センサ６０が検知し、給送トレイ３６にシートＳＨが存在することをシートセンサ６１が検知していることを確認した上で、搬送部４０の駆動モータ４０Ｍを駆動する制御を行う。そうすると、まず、分離ローラ４８が分離パッド４９とシートＳＨを挟みながら回転する。分離ローラ４８は、給送トレイ３６上のシートＳＨを第１導入口１１から導入し、シートＳＨを搬送路１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００７５】
次に、搬送部４０の、搬送ローラ４２Ａ、４２Ｂ、４２Ｃ及び従動ローラ４３Ａ、４３Ｂ、４３Ｃと、排出ローラ４４Ａ、４４Ｂ、４４Ｃ及び従動ローラ４５Ａ、４５Ｂ、４５Ｃとが第１導入口１１から導入されるシートＳＨを搬送路１０において搬送する。搬送路１０において搬送されるシートＳＨの両面の画像が画像読取センサ５５Ａ、５５Ｂにより読み取られる。画像が読み取られたシートＳＨは、排出ローラ４４Ａ、４４Ｂ、４４Ｃ及び従動ローラ４５Ａ、４５Ｂ、４５Ｃにより第１排出口１２から筐体３０の外部に排出される。
【００７６】
一方、カードＣＡの画像が読み取られる場合、ユーザにより、給送トレイ３６が閉位置にあれば閉位置が維持され、給送トレイ３６が開位置にあれば閉位置に変位される。そして、図２に示すように、ユーザにより、カードＣＡが第２導入口２１に差し込まれる。このとき、図８（ａ）に示すように、ユーザＰ１が画像読取装置１の前方に位置する場合、第２導入口２１が画像読取装置１の後側に位置しているため、ユーザが画像読取装置１を、図８（ｂ）又は図８（ｃ）に示すように、１８０°又は９０°回転させて第２導入口２１をユーザＰ１側である前方に向ける場面が想定される。しかし、画像読取装置１は、回転センサ６３を備え、回転センサ６３の検知結果に基づき、タッチパネル７０に表示される画像の向きが図８（ａ）に示す向きから、図８（ｂ）又は図８（ｃ）に示すように回転されるよう制御される。よって、ユーザにとってタッチパネル７０の表示画像を視認し易く、またタッチパネル７０を操作し易くなる。
【００７７】
カードＣＡが第２導入口２１に導入されると、カードＣＡは、カード通過路２９を通過し、その先端がカード搬送領域２０に到達する。制御基板５４のＣＰＵは、タッチパネル７０からカードＣＡの読取指示があった場合に、カードＣＡの画像読取動作を開始する。タッチパネル７０のカード読取指示は、図１に示すように、タッチパネル７０に表示されたカード読取「ＳＴＡＲＴ」ボタンＢ１が押されることにより生成され、制御基板５４に送られる。
【００７８】
そうすると、制御基板５４のＣＰＵは、給送トレイ３６が閉位置にあることを開閉位置センサ６０が検知し、カードＣＡが第２導入口２１に存在することをカードセンサ６２が検知していることを確認した上で、搬送部４０の駆動モータ４０Ｍを駆動する制御を行う。そうすると、搬送ローラ４２Ｃ及び従動ローラ４３Ｃと、排出ローラ４４Ｃ及び従動ローラ４５Ｃとが第２導入口２１から導入され、カード通過路２９を通過したカードＣＡをカード搬送領域２０において搬送する。カード搬送領域２０において搬送されるカードＣＡの両面の画像が画像読取センサ５５Ａ、５５Ｂにより読み取られる。図１に示すように、画像が読み取られたカードＣＡは、排出ローラ４４Ｃ及び従動ローラ４５Ｃにより第２排出口２２から筐体３０の外部に排出される。
【００７９】
＜作用効果＞
第１実施例の画像読取装置１では、上記構成により、幅の異なるシートＳＨ及びカードＣＡを搬送路１０において搬送することができる。ここで、搬送路１０がシートＳＨの搬送路と、カードＣＡの搬送路とを兼ねているので、装置の小型化を実現できる。
【００８０】
また、この画像読取装置１では、例えば、第１導入口１１へのシートＳＨの差し込み、第１排出口１２から排出されるシートＳＨの取り出し、第２導入口２１へのカードＣＡの差し込み、第２排出口２２から排出されるカードＣＡの取り出し等の動作のうちのいずれか１つの動作を行い易くするために、筐体３０の設置状態を変更すると、制御基板５４のＣＰＵは、回転センサ６３から設置情報を取得する。また、制御基板５４のＣＰＵは、ＲＯＭ又はＲＡＭ等の記憶部から設定情報を取得する。そして、制御基板５４のＣＰＵは、取得した設置情報又は設定情報に基づいて、タッチパネル７０を制御し、表示面７０Ａに表示される表示画像の向きを変更する。より詳しくは、この画像読取装置１では、制御基板５４のＣＰＵは、軸線Ｘ３０周りの筐体３０の回転を検知する回転センサ６３から筐体３０の設置情報を取得し、制御基板５４のＣＰＵが表示面７０Ａに表示される表示画像の向きを変更する。例えば、図８（ｂ）及び（ｃ）に示すように、回転センサ６３の検出信号に基づいて筐体３０が軸線Ｘ３０周りに１８０°又は９０°回転したと判断する場合、画像の向きを１８０°又は９０°回転させる。このため、この画像読取装置１では、表示面７０Ａに表示される表示画像の向きをユーザＰ１側に向け易い。
【００８１】
したがって、第１実施例の画像読取装置１では、幅の異なるシートＳＨ及びカードＣＡを搬送することができるとともに、筐体３０の設置状態を変更しても、表示面７０Ａに表示される表示画像を視認し易くすることができる。
【００８２】
また、この画像読取装置１では、回転センサ６３により、回転センサ６３により、制御基板５４のＣＰＵが筐体３０の設置状態を判断し易い。そして、この画像読取装置１では、第１導入口１１が筐体３０の後面３２Ｃに設けられ、第２導入口２１が筐体３０の前面３１Ｂ、３２Ｂに設けられているので、図８（ａ）及び（ｂ）に示すように、ユーザＰ１が第１導入口１１又は第２導入口２１を自分に向けるように筐体３０を軸線Ｘ３０周りに１８０°回転させるのに応じて、制御基板５４のＣＰＵが表示面７０Ａに表示される表示画像の向きを１８０°回転させる。その結果、この画像読取装置１では、表示面７０Ａに表示される表示画像の向きがユーザＰ１に対して逆向きにならないので、表示面７０Ａに表示される表示画像を確実に視認し易くすることができる。
【００８３】
さらに、この画像読取装置１では、給送トレイ３６は、シートＳＨを搬送するために必要ではあるが、カードＣＡを搬送するためには必ずしも必要ではない。この点、この画像読取装置１では、給送トレイ３６が閉位置にある状態で、制御基板５４のＣＰＵが搬送部４０を制御し、搬送部４０がカードＣＡを搬送するので、給送トレイ３６を開く手間を省くことができる。
【００８４】
また、この画像読取装置１では、給送トレイ３６が閉位置にある状態でも、操作開口３９を介して、タッチパネル７０の表示面７０Ａを確実に視認できる。また、ユーザが操作開口３９を介してタッチパネル７０に触れることにより、入力を行うことができる。
【００８５】
（第２実施例）
図９に示すように、第２実施例の画像読取装置では、第１実施例の画像読取装置１の回転センサ６３の代わりに、筐体の前面３１Ｂ、３２Ｂに人感センサ６４Ａが設けられ、筐体の後面３２Ｃに人感センサ６４Ｂが設けられている。第２実施例のその他の構成は、第１実施例の画像読取装置１と同一である。このため、実施例１と同一の構成については、同一の符号を付して説明を省略又は簡略する。また、第２実施例の画像読取装置は、第１実施例の開閉位置センサ６０、シートセンサ６１及びカードセンサ６２を備えているが、図９では図示を省略する。
【００８６】
人感センサ６４Ａ、６４Ｂは、ユーザＰ１が近くにいる場合に、そのユーザＰ１の存在を検知する。前側の人感センサ６４Ａは、第２筐体３２の前面３２Ｂにおける左右方向の中間に設けられている。後側の人感センサ６４Ｂは、第２筐体３２の後面３２Ｃにおける左右方向の中間に設けられている。人感センサ６４Ａ、６４Ｂは、人が発する赤外線による温度変化を検知するセンサ等からなる。人感センサ６４Ａ、６４Ｂも、回転センサ６３と同様に、制御基板５４に接続されている。
【００８７】
図９（ａ）に示すように、筐体３０の前面３１Ｂ、３２Ｂ側にユーザＰ１が存在する場合、人感センサ６４Ａは、ユーザＰ１の存在を検知する。そして、人感センサ６４Ａから、その旨の検出信号が制御基板５４に送信される。その一方、人感センサ６４Ｂは、ユーザＰ１の不存在を検知する。そして、人感センサ６４Ｂから、その旨の検出信号が制御基板５４に送信される。また、図９（ｂ）に示すように、筐体３０の後面３２Ｃ側にユーザＰ１が存在する場合に、人感センサ６４Ｂは、そのユーザＰ１の存在を検知する。そして、人感センサ６４Ｂから、その旨の検出信号が制御基板５４に送信される。その一方、人感センサ６４Ａは、ユーザＰ１の不存在を検知する。そして、人感センサ６４Ａから、その旨の検出信号が制御基板５４に送信される。人感センサ６４Ａ、６４Ｂの検出信号は、筐体３０の設置状態が反映される設置情報の一例である。制御基板５４は、人感センサ６４Ａ、６４Ｂから設置情報を取得する。
【００８８】
また、第２実施例では、開閉位置センサ６０の検出信号も、筐体３０の設置状態が反映される設置情報の一例である。制御基板５４は、開閉位置センサ６０から設置情報を取得する。シートセンサ６１の検出信号も、筐体３０の設置状態が反映される設置情報の一例である。制御基板５４は、シートセンサ６１から設置情報を取得する。カードセンサ６２の検出信号も、筐体３０の設置状態が反映される設置情報の一例である。制御基板５４は、カードセンサ６２から設置情報を取得する。
【００８９】
制御基板５４のＲＯＭ又はＲＡＭ等の記憶部には、筐体３０の設置状態に関して設定される設定情報が記憶されている。そして、制御基板５４のＣＰＵは、人感センサ６４Ａ、６４Ｂ等から取得した設置情報と、ＲＯＭ又はＲＡＭ等に記憶された設定情報とに基づいてタッチパネル７０を制御し、表示面７０Ａに表示される画像の向きを変更する
【００９０】
ここで、設定情報は、例えば、図９（ａ）に示すように、ユーザＰ１が筐体３０の前面３１Ｂ、３２Ｂ側に存在する場合、ユーザＰ１が筐体３０の前面３１Ｂ、３２Ｂ側から視認し易いように、表示面７０Ａに表示される表示画像の向きを変更し、既に表示画像の向きがそのようになっていればその状態を維持するというものである。この場合、制御基板５４のＣＰＵは、ユーザＰ１が筐体３０の前面３１Ｂ、３２Ｂ側に存在することを人感センサ６４Ａが検知すれば、表示面７０Ａに表示される表示画像の向きを図９（ａ）に示すように変更し、既に表示画像の向きが図９（ａ）に示すようになっていればその状態を維持する。
【００９１】
また、設定情報は、図９（ａ）に示すように、シートＳＨが第１導入口１１に導入された場合、ユーザＰ１が筐体３０の前面３１Ｂ、３２Ｂ側から視認し易いように、表示面７０Ａに表示される表示画像の向きを変更するというものである。この場合、制御基板５４のＣＰＵは、シートＳＨが第１導入口１１に導入されたことをシートセンサ６１が検知すれば、表示面７０Ａに表示される表示画像の向きを図９（ａ）に示すように変更し、既に表示画像の向きが図９（ａ）に示すようになっていればその状態を維持する。
【００９２】
また、設定情報は、図９（ｂ）に示すように、ユーザＰ１が筐体３０の後面３２Ｃ側に存在する場合、ユーザＰ１が筐体３０の後面３２Ｃ側から視認し易いように、表示面７０Ａに表示される表示画像の向きを変更するというものである。この場合、制御基板５４のＣＰＵは、ユーザＰ１が筐体３０の後面３２Ｃ側に存在することを人感センサ６４Ｂが検知すれば、表示面７０Ａに表示される表示画像の向きを図９（ｂ）に示すように変更し、既に表示画像の向きが図９（ｂ）に示すようになっていればその状態を維持する。
【００９３】
また、設定情報は、図９（ｂ）に示すように、カードＣＡが第２導入口２１に導入された場合、ユーザＰ１が筐体３０の後面３２Ｃ側から視認し易いように、表示面７０Ａに表示される表示画像の向きを変更するというものである。この場合、制御基板５４のＣＰＵは、カードＣＡが第２導入口２１に導入されたことをカードセンサ６２が検知すれば、表示面７０Ａに表示される表示画像の向きを図９（ｂ）に示すように変更し、既に表示画像の向きが図９（ｂ）に示すようになっていればその状態を維持する。
【００９４】
また、設定情報は、図３に示すように、給送トレイ３６が開位置にある場合、ユーザが筐体３０の前面３１Ｂ、３２Ｂ側から視認し易いように、表示面７０Ａに表示される表示画像の向きを変更するというものである。この場合、制御基板５４のＣＰＵは、給送トレイ３６が開位置にあることを開閉位置センサ６０が検知すれば、表示面７０Ａに表示される表示画像の向きを図３に示すように変更し、既に表示画像の向きが図３に示すようになっていればその状態を維持する。
【００９５】
第２実施例の画像読取装置では、制御基板５４のＣＰＵは、人感センサ６４Ａ、６４Ｂ、開閉位置センサ６０、シートセンサ６１及びカードセンサ６２から筐体３０の設置情報を取得し、例えば、図３及び図９に示すように、制御基板５４のＣＰＵが表示面７０Ａに表示される表示画像の向きを変更する。このため、この画像読取装置１では、表示面７０Ａに表示される表示画像の向きをユーザＰ１側に向け易い。
【００９６】
したがって、第２実施例の画像読取装置でも、幅の異なるシートＳＨ及びカードＣＡを搬送することができるとともに、筐体３０の設置状態を変更しても、表示面７０Ａに表示される表示画像を視認し易くすることができる。
【００９７】
（第３実施例）
第１実施例の画像読取装置１では、設定情報が制御基板５４のＲＯＭ又はＲＡＭ等に記憶されていたが、第３実施例の画像読取装置では、タッチパネル７０から設定情報を設定できるようにしている。第３実施例の画像読取装置の構成は、第１実施例と同一である。
【００９８】
第３実施例では、制御基板５４のＣＰＵは、タッチパネル７０の表示面７０Ａに、図１０〜図１２に示すような設定画面を表示する。そして、ユーザにより、タッチパネル７０の設定画面に対して、筐体３０の設置状態に対して表示面７０Ａに表示される表示画像の向きを関連付ける操作が行われると、その操作をタッチパネル７０が受ける。そして、タッチパネル７０から、制御基板５４に送信され、ＲＡＭ等の記憶部に設定情報として記憶される。そして、制御基板５４のＣＰＵは、上述した設置情報、又はＲＯＭ又はＲＡＭ等に記憶された設定情報に基づいてタッチパネル７０を制御し、表示面７０Ａに表示される画像の向きを変更する。
【００９９】
ここで、「筐体３０の設置状態に対して表示面７０Ａに表示される表示画像の向きを関連づける」とは、具体的には、筐体３０の特定の設置状態と、表示面７０Ａに表示される表示画像の特定の向きとを１対１の関係に決めることである。
【０１００】
例えば、図１０に示す「カード読取時」設定画面において、１８０°回転」ボタン又は「９０°回転」をユーザが操作すると、画像読取装置がカード読取モードになっている状態と、表示画像の向きの「１８０°回転」又は「９０°回転」とが１対１の関係に決められる。
【０１０１】
また、図１１に示す「給送トレイが閉じている場合」設定画面において、「１８０°回転」ボタン又は「９０°回転」をユーザが操作すると、給送トレイ３６が閉じている状態と、表示画像の向きの「１８０°回転」又は「９０°回転」とが１対１の関係に決められる。
【０１０２】
また、図１２に示す「カードが挿入された場合」設定画面において、「１８０°回転」ボタン又は「９０°回転」をユーザが操作すると、カードＣＡが挿入されている状態と、表示画像の向きの「１８０°回転」又は「９０°回転」とが１対１の関係に決められる。
【０１０３】
こうして、ユーザにより、例えば、図１０〜図１２に示す設定画面を表示するタッチパネル７０に対して、筐体３０の設置状態に対して表示面７０Ａに表示される表示画像の向きを関連付ける操作が行われると、その操作をタッチパネル７０が受ける。そして、タッチパネル７０から、制御基板５４に送信され、ＲＡＭ等の記憶部に設定情報として記憶される。これにより、ユーザニーズに好適に対応できる設定を容易に行うことができる。
【０１０４】
（第４実施例）
図１３及び図１４に示すように、第４実施例の画像読取装置では、第１実施例の画像読取装置１における第２排出口２２を第２導入排出口２２１に変更し、第１実施例の画像読取装置１における第２導入口２１を中間排出口２２２に変更している。第４実施例のその他の構成は第１実施例と同一である。このため、第１実施例と同一の構成については、同一の符号を付して説明を省略又は簡略する。
【０１０５】
第２導入排出口２２１は、第１実施例の第２排出口２２と同一形状である。第２導入排出口２２１は、第１排出口１２の右端側の一部と共用されている。中間排出口２２２は、第１実施例の第２導入口２１と同一形状である。
【０１０６】
第２導入排出口２２１に、カードＣＡが導入される。搬送部４０は、カード搬送領域２０においてカードＣＡを後方に搬送する。この後方へのカードＣＡの搬送は、制御基板５４のＣＰＵが、搬送部４０を第１実施例における搬送部４０の回転方向と反対方向に逆送させることにより実行される。そして、カードＣＡは、カード通過路２９を通過し、中間排出口２２２から筐体３０の外部に自己の一部が排出される。つまり、カードＣＡは、搬送部４０によって頭出し位置に達するまで後方に搬送される。次に、搬送部４０は、カード搬送領域２０及びカード通過路２９においてカードＣＡを前方に搬送する。この際、画像読取センサ５５Ａ、５５Ｂにより画像を読み取られた後、カードＣＡは、第２導入排出口２２１から筐体３０の外部に排出される。
【０１０７】
第４実施例の画像読取装置では、例えば、カードＣＡが中間排出口２２２を通過して頭出し位置に達する際に壁等の障害物に接触しないように、ユーザが筐体３０を回転させたり、移動させたりする場面等が考えられる。この場合において、制御基板５４のＣＰＵは、例えば、第１実施例のように回転センサ６３の検知結果に基づいて、制御基板５４のＣＰＵが表示面７０Ａに表示される表示画像の向きを変更してもよい。また、制御基板５４のＣＰＵは、第２実施例のように、人感センサ６４Ａ、６４Ｂ、開閉位置センサ６０、シートセンサ６１及びカードセンサ６２の検知結果に基づいて、制御基板５４のＣＰＵが表示面７０Ａに表示される表示画像の向きを変更してもよい。
【０１０８】
したがって、第４実施例の画像形成装置でも、幅の異なるシートＳＨ及びカードＣＡを搬送することができるとともに、筐体３０の設置状態を変更しても、表示面７０Ａに表示される表示画像を視認し易くすることができる。
【０１０９】
（第５実施例）
図１５に示すように、第５実施例の画像読取装置では、第１実施例の画像読取装置１における第２排出口２２をカードＣＡが導入される第２導入口に変更し、第１実施例の画像読取装置１における第２導入口２１をカードＣＡが排出される第２排出口３２２に変更している。第５実施例のその他の構成は第１実施例と同一である。このため、実施例１と同一の構成については、同一の符号を付して説明を省略又は簡略する。
【０１１０】
第５実施例の第２導入口は、第２実施例の第２導入排出口２２１と同様に、第１実施例の第２排出口２２と同一形状である。このため、図示は省略する。第２排出口３２２は、第１実施例の第２導入口２１と同一形状である。
【０１１１】
第２導入口に、カードＣＡが導入される。搬送部４０は、カード搬送領域２０においてカードＣＡを後方に搬送する。そして、カードＣＡは、画像読取センサ５５Ａ、５５Ｂにより画像を読み取られた後、カード通過路２９を通過し、第２排出口３２２から筐体３０の外部に排出される。
【０１１２】
第５実施例の画像読取装置では、例えば、カードＣＡが第２排出口３２２から排出される際に壁等の障害物に接触しないように、ユーザが筐体３０を回転させたり、移動させたりする場面等が考えられる。この場合において、制御基板５４のＣＰＵは、例えば、第１実施例のように回転センサ６３の検知結果に基づいて、制御基板５４のＣＰＵが表示面７０Ａに表示される表示画像の向きを変更してもよい。また、制御基板５４のＣＰＵは、第２実施例のように、人感センサ６４Ａ、６４Ｂ、開閉位置センサ６０、シートセンサ６１及びカードセンサ６２の検知結果に基づいて、制御基板５４のＣＰＵが表示面７０Ａに表示される表示画像の向きを変更してもよい。
【０１１３】
したがって、第５実施例の画像形成装置でも、幅の異なるシートＳＨ及びカードＣＡを搬送することができるとともに、筐体３０の設置状態を変更しても、表示面７０Ａに表示される表示画像を視認し易くすることができる。
【０１１４】
（第６実施例）
図１６に示すように、第６実施例の画像読取システム１００は、本発明の画像読取システムの具体的態様の一例である。画像読取システム１００は、実施例１の画像読取装置１と、情報処理装置１０１とを備えている。実施例１の画像読取装置１については、上述した通りであるので、説明は省略する。情報処理装置１０１は、各種のアプリケーションを実行可能なパソコンやスマートフォン等である。画像読取装置１と情報処理装置１０１とは、互いに情報を伝達可能に接続されている。この接続は、有線接続であってもよいし、無線接続であってもよい。
【０１１５】
情報処理装置１０１は、外部取得部１７０を備えている。外部取得部１７０は、例えば、パソコンを構成するＣＰＵ等の情報処理部、ディスプレイ及びキーボードである。また、外部取得部１７０は、スマートフォンを構成するＣＰＵ等の情報処理部及びタッチパネル式の表示面である。
【０１１６】
外部取得部１７０は、設定アプリケーションＡ１を図示しない記憶装置によって記憶している。設定アプリケーションＡ１は、本発明の「外部設定部」の一例である。
【０１１７】
外部取得部１７０を構成する情報処理部は、設定アプリケーションＡ１を実行することにより、ディスプレイ、キーボード又はタッチパネル式の表示面等を用いて、外部からの操作を受け付ける。そして、情報処理部は、設定アプリケーションＡ１により、画像読取装置１の筐体３０の設置状態に対して表示面７０Ａに表示される表示画像の向きを関連付ける設定を行う。この設定により、筐体３０の設置状態に関して外部から設定される設定情報が定まる。
【０１１８】
画像読取装置１の制御基板５４は、情報処理装置１０１の外部取得部１７０から設定情報を取得する。そして、制御基板５４のＣＰＵは、外部取得部１７０が取得した設定情報に基づいてタッチパネル７０を制御し、例えば、図８（ａ）〜（ｃ）又は図９（ａ）及び（ｂ）に示すように、表示面７０Ａに表示される表示画像の向きを変更する。また、制御基板５４のＣＰＵは、第３実施例で説明したように、タッチパネル７０から設定情報を取得して、表示面７０Ａに表示される表示画像の向きを変更することもできる。
【０１１９】
例えば、ユーザが画像読取装置１を１８０°回転させたところ、表示面７０Ａに表示画像が見難いとユーザが感じる場面が考えられる。この場合、情報処理装置１０１において、設定アプリケーションＡ１を立ち上げて、その表示画像が見易くなるように、ユーザが表示画像の向きを変更できる。また、この状態で、第２導入口２１にカードＣＡが挿し込まれた場合、例えば、設定アプリケーションＡ１のカード読取開始ボタンが操作されることにより、カードＣＡの読取が実行されるようにすることもできる。
【０１２０】
したがって、第６実施例の画像読取システム１００では、画像読取装置１において、幅の異なるシートＳＨ及びカードＣＡを搬送路１０において搬送することができるとともに、画像読取装置１の筐体３０の設置状態を変更しても、表示面７０Ａに表示される表示画像を視認し易くすることができる。
【０１２１】
以上において、本発明を第１実施例〜第６実施例に即して説明したが、本発明は上記第１実施例〜第６実施例に制限されるものではなく、その趣旨を逸脱しない範囲で適宜変更して適用できることはいうまでもない。
【０１２２】
例えば、第６実施例では、情報処理装置１０１の外部取得部１７０が取得した設定情報に基づいて、画像読取装置１の制御基板５４のＣＰＵがタッチパネル７０を制御し、表示面７０Ａに表示される表示画像の向きを変更するが、この構成には限定されない。例えば、情報処理装置１０１の外部取得部１７０が取得した設定情報に基づいて、情報処理装置１０１の情報処理部が画像読取装置１のタッチパネル７０を制御し、表示面７０Ａに表示される表示画像の向きを変更するようにしてもよい。この場合、情報処理装置１０１の情報処理部は、本発明の「情報処理装置に備えられた表示制御部」の一例である。
【０１２３】
第１実施例では、カードＣＡが第２排出口２２から筐体３０の外部に排出されていたが、この構成を変更して、カードＣＡが第２排出口２２から一時的に外部に露出した後、第２導入口２１に向かって逆送され、第２導入口２１から筐体３０の外部に排出されるようにしてもよい。
【０１２４】
画像読取センサ５５Ａ、５５Ｂは、第１実施例ではＣＩＳを備えていたがこれに限らず、ＣＩＳの代わりに、Ｃｈａｒｇｅ  Ｃｏｕｐｌｅｄ  Ｄｅｖｉｃｅ（ＣＣＤ）等が採用されてもよい。
【産業上の利用可能性】
【０１２５】
本発明は画像読取装置、画像形成装置又は複合機等に利用可能である。
【符号の説明】
【０１２６】
１…画像読取装置、３０…筐体（装置本体）
ＳＨ…シート（第１媒体）、ＣＡ…カード（第２媒体）
１１…第１導入口、１２…第１排出口、２１…第２導入口
２２、３２２…第２排出口、２２１…第２導入排出口（第２導入口、第２排出口）
３１Ａ…筐体（装置本体）の上面、Ｘ３０…軸線
７０…タッチパネル（表示部、設定部）、７０Ａ…表示面、６３…回転センサ
５５…読取部、５４…制御基板（表示制御部、搬送制御部、取得部）
３６…給送トレイ、４０…搬送部、３９…操作開口（開口）
１００…画像読取システム、１０１…情報処理装置
１７０…外部取得部、Ａ１…設定用アプリケーション（外部設定部）
【図１】
2014072649.tif 000003
【図２】
2014072649.tif 000004
【図３】
2014072649.tif 000005
【図４】
2014072649.tif 000006
【図５】
2014072649.tif 000007
【図６】
2014072649.tif 000008
【図７】
2014072649.tif 000009
【図８】
2014072649.tif 000010
【図９】
2014072649.tif 000011
【図１０】
2014072649.tif 000012
【図１１】
2014072649.tif 000013
【図１２】
2014072649.tif 000014
【図１３】
2014072649.tif 000015
【図１４】
2014072649.tif 000016
【図１５】
2014072649.tif 000017
【図１６】
2014072649.tif 000018